(57)【特許請求の範囲】
【請求項１】
洗浄室を有する食器洗浄器用排水ポンプであって、
駆動軸を有するモータと、
前記駆動軸の上方部分に取り付けられた洗浄ポンプ羽根車と、
前記駆動軸の下方部分に取り付けられた排水ポンプ羽根車と、
前記モータ及び排水ポンプ羽根車と同軸であり前記洗浄室から水を受けるように構成され、側壁を有するポンプケースとを備え、
前記モータが第１の方向に回転したとき、前記排水ポンプ羽根車は前記ポンプケースから水を汲み出し、
前記排水ポンプ羽根車はディスクを備え、該ディスクの周縁は、前記ポンプケースの側壁への流体流れに対するシールを形成するように前記ケースの前記側壁に極めて隣接し、前記ディスクは、ハブ部と該ディスクの第１の面に形成された羽根とを有し、各羽根の根元は、該羽根の根元の全高に亘って前記ハブ部の周縁から径方向に離間し、前記ハブ部と前記羽根の間に妨げられない環状流体通路を形成し、
前記ポンプケースの側壁は円筒状であり、
前記モータは、前記ポンプケース内に取り付けられているロータと、前記ポンプケースの外側で前記ポンプケースの外周面のまわりに取り付けられている協働するステータとを有し、前記ポンプケースの円筒状側面が前記ロータと前記ステータの間の間隙内にあり、
前記排水ポンプ羽根車は、前記ポンプケース内の前記ロータの下方で、前記モータの駆動軸に取り付けられている、
ことを特徴とする食器洗浄器用排水ポンプ。
【請求項２】
前記ポンプケースは、ほぼ垂直軸線方向に、前記洗浄室に固定されかつ前記洗浄室に連通している、
請求項１に記載の食器洗浄器用排水ポンプ。
【請求項３】
放出パイプが、前記ポンプケースの側壁から、水平方向より小さな角度上方に延びている、
請求項２に記載の食器洗浄器用排水ポンプ。
【請求項４】
前記ポンプケースは、前記洗浄室の床に形成されかつ前記洗浄室と一体である、
請求項３に記載の食器洗浄器用排水ポンプ。
【発明の詳細な説明】
【０００１】
【発明の属する技術分野】
本発明は食器洗浄機に関連し、特に出願人による国際公開公報第９３／１２７０６号に開示された種類の食器洗浄機のみに関連するわけではない。
【０００２】
【従来の技術】
国際公開公報第９３／１２７０６号の食器洗浄機は、図１及び２にほぼ示された形態であり、図４〜６において示されているような取り付けの選択をすることができる。国際公開公報第９３／１２７０６号の食器洗浄機は、洗浄室及び関連する洗浄システムは、キャビネット内の引き出しという形態で摺動可能に取り付けられ、洗浄室は水平方向に引き出されて洗浄室の開放した上部を通して装填することを可能とするという点で従来の食器洗浄機と異なる。洗浄室が引っ込められる時、関連する蓋は、操作中に洗浄液を含むように洗浄室の上部をシールして遮断する。国際公開公報第９３／１２７０６号において、洗浄室の蓋は、キャビネットの上部に移動可能に保持されている一体の構造であり、引っ込める時に洗浄室によって係合され、平行四辺形のリンク機構及びカム機構を使用して洗浄室の上部へ降りる。実際において、他の種類の洗浄室のカバーが満足できるものでありかつよりよい生産経済性があるということが見いだされた。
【０００３】
洗剤分配装置は、全ての食器洗浄機の中で必要な構成要素である。従来の分配装置は、洗浄サイクルにおいて適切な時まで洗剤の装填を保ち、洗浄室内へ洗剤を解放するように、この適切な時に洗剤受口は開放する。適切に洗剤が流し込まれ、そこで受口は洗剤を放出するために移動ドアを使用する。ドアの開放が洗浄液の荷重によって防がれるということを保証するために、従来の分配器は、かなりの量の高圧の液体が洗剤受口内へ入る必要があるという不利な点をもつ。
【０００４】
以前に記載された国際公開公報第９３／１２７０６号において、食器洗浄機の排水ポンプが開示されている。ここで記載された排水ポンプは満足に動作する一方で、汚染された洗浄水内の粒子は、モータのロータと溜め部１０６との間の隙間において堆積する可能性がある。
【０００５】
国際公開公報第９３／１２７０６号において、一つの洗浄室を有するキャビネットと、関連する洗浄システムとを有する食器洗浄機が開示されている。摺動引き出しタイプの形状は、正面の装填機械よりも多くの力をキャビネットに及ぼすので、キャビネットの引っ掛け（菱形にする力に対する）(racking) 抵抗を増加させる門状フレーム部材が開示されている。国際公開公報第９３／１２７０６号において、食器洗浄能力の向上は別個の食器洗浄モジュールの数を単に増やすことによって実現できると考えられる。台所作業台の下に二つのモジュールを重ねて取り付けていることに関して特別に説明されている。各モジュールの高さは、二つのモジュールが台所の建具内で重ねて取り付けられる時にこれらモジュールは典型的な家庭の作業台の高さの台所内に適合することを保証するように選択される。いくつかの状況において、一体の二つの洗浄槽の食器洗浄機、すなわち、一つの引き出しの代わりの二つの引き出しを有するキャビネットが好適である。しかしながら、「開放」した正面のキャビネットが一つの引き出しキャビネットの高さのほぼ二倍であることが必要とされているので、これは、洗浄槽によって及ぼされる引っ掛け力に対する十分な耐性を付与するという問題を大きくする。
【０００６】
【発明が解決しようとする課題】
本発明の目的は、前述の課題を克服する食器洗浄機の排出ポンプを提供することである。
【０００７】
【課題を解決するための手段】
本発明によれば、洗浄室を有する食器洗浄器用排水ポンプであって、駆動軸を有するモータと、前記駆動軸の上方部分に取り付けられた洗浄ポンプ羽根車と前記駆動軸の下方部分に取り付けられた排水ポンプ羽根車と、前記モータ及び排水ポンプ羽根車と同軸であり前記洗浄室から水を受けるように構成され、側壁を有するポンプケースとを備え、前記モータが第１の方向に回転したとき、前記排水ポンプ羽根車は前記ポンプケースから水を汲み出し、前記排水ポンプ羽根車はディスクを備え、該ディスクの周縁は、前記ポンプケースの側壁への流体流れに対するシールを形成するように前記ケースの前記側壁に極めて隣接し、前記ディスクは、ハブ部と該ディスクの第１の面に形成された羽根とを有し、各羽根の根元は、該羽根の根元の全高に亘って前記ハブ部の周縁から径方向に離間し、前記ハブ部と前記羽根の間に妨げられない環状流体通路を形成し、前記ポンプケースの側壁は円筒状であり、前記モータは、前記ポンプケース内に取り付けられているロータと、前記ポンプケースの外側で前記ポンプケースの外周面のまわりに取り付けられている協働するステータとを有し、前記ポンプケースの円筒状側面が前記ロータと前記ステータの間の間隙内にあり、前記排水ポンプ羽根車は、前記ポンプケース内の前記ロータの下方で、前記モータの駆動軸に取り付けられている、ことを特徴とする食器洗浄器用排水ポンプが提供される。
本発明の他の好ましい態様によれば、前記ポンプケースは、ほぼ垂直軸線方向に、前記洗浄室に固定されかつ前記洗浄室に連通している
本発明の他の好ましい態様によれば、放出パイプが、前記ポンプケースの側壁から、水平方向より小さな角度上方に延びている。
本発明の他の好ましい態様によれば、前記ポンプケースは、前記洗浄室の床に形成されかつ前記洗浄室と一体である。
【０００８】
【発明の実施の形態】
本発明の食器洗浄機２００ は図１に示したタイプである。前方パネル２０２ を備えた（全ての洗浄システム構成要素を有する）洗浄室２０１ はキャビネット２０３ に「引出し」のように摺動可能に取り付けられる。洗浄室２０１ は頂部が開いており、矢印の方向へキャビネット２０３ から引き出され、食器の積み下ろしができ、また洗浄の間はキャビネット２０３ に引っ込められる。洗浄室２０１ には洗浄・排出システムが取り付けられ、洗浄室２０１ はモータおよびポンプを有する。図２および図３に示したように可撓性のある接続配線・配管２２８ が洗浄室２０１ をキャビネット２０３ 内の関連の末端に接続する。また食器洗浄機の制御装置がキャビネット２０３ または摺動洗浄システムに固定される。
【０００９】
食器洗浄機は前方から積み込むタイプの従来の国産の食器洗浄機の高さの半分の高さで作られる。この形態では食器洗浄機は単体で用いられても多数の中の一つ、特に一対の食器洗浄機の一つとして用いられてもよい。図４から図６はモジュラーとしてのコンセプトを用いた一つまたは二つの食器洗浄機を用いた設置案を示している。図４にはシンク台１の下方で上下に重ねられた二つの食器洗浄機２００ が示されており、シンク台の高さは典型的には床面から８５０ から９００mm である。図５にはシンク台１のシンクを形成する部分の両側に横に並んで配置された二つの食器洗浄機２００ が示されている。図６では唯一の食器洗浄機がシンク台１の下側に提供されている。本発明によれば高さを低くしたので食器洗浄機をシンク台に取り付けることができる。
【００１０】
図４を参照するとモジュールタイプの二つの食器洗浄ユニット２００ が上下に重ねられる時にはその構成は従来の食器洗浄機の外形と同様である。図５のようにシンク台の頂部の直ぐ下に横に並んで設置された二つのモジュラーユニット２００ の容量は従来の食器洗浄機と同じであるが使用者が下半分の食器洗浄機に到達するのに腰を曲げなければならないという不便を解消する。
【００１１】
設置において二つの個別のモジュールを組にする以外にも幾つかの対の構成を製造可能である。例えば図４に示した二つの食器洗浄機を上下に配置する構成を一つの外側の覆い内またはキャビネット内に製造し、単一の装置として設置してもよい。図７は二つの引出しを有する装置を示しており、この装置は二つの引出しタイプの洗浄室２０２a、２０２bを収容する単一のキャビネット２０３ を具備する。各引出しの前部は美観的に好ましい面を有する。
【００１２】
二つの引出しを有するこのタイプの装置は相当に柔軟性のある操作モードを可能とする。これらモードには以下が含まれる。
１．混在した食器を搭載した状態での一つのモジュールの作動、または二つのモジュールの同時作動。この場合、各モジュールが搭載される皿の中で最も大きなものを収容できるようにし、このようなコンセプトは大きな食器類のための容量を増大する。
２．一つのモジュールの作動または必ずしも同時ではない両モジュールの作動。この場合、各モジュールには汚れが少ない食器または非常に汚れた食器が搭載されると共に各モジュールは個々のモジュールを適合させるように設定された適切な洗浄プログラムを有する。
３．一方のモジュールは汚れた食器で徐々に充填され、第二のモジュールは搭載された綺麗な食器を再使用している時にのみ空になっている。これは衛生上の理由から単一の食器洗浄機では実行できない。
４．搭載される食器の汚れが少ない場合用に一方のモジュールをプログラミングし、搭載される食器の汚れがひどい場合用に他方のモジュールをプログラミングする。
５．汚れた食器で満たされると直ぐに一方のモジュールを始動する。すなわち搭載される食器が少ないと効率的に洗浄できる。
【００１３】
キャビネット
図８は図７のキャビネット２０３ の幾つかの構造上の特徴を示している。キャビネット２０３ は通常、金属シートで作製され、側面が開いた箱の形をしており、上部パネル ２０５と、下部パネル２０６ と、二つの側壁２０７ と、後部壁（図示せず）とを有する。キャビネット２０３ の前部はこのキャビネットの前部の主要面から凹んだ浅いキックプレート６２を除いて開いている。キャビネット２０３ の開いた前部は国際公開公報第９３/１２７０６号に記載されているような門状フレーム部材６３および６４を備えることにより横揺れモーメントに抵抗できるように補強される。二つの洗浄室２０２aおよび２０２bの各底部は各門状フレーム部材６３および６４の上部フランジ６５および６６上を通るように形成される。しかしながら上側の開口のための門状フレーム（および国際公開公報第９３/１２７０６号 に示したキャビネット）とは異なり、門状フレーム６４はキャビネット６１の前部の主要面から後方へずれており、キャビネット６１の下半分の横揺れモーメントに抵抗する効果が減少する。本発明ではこのことは補強プレート６７および６８をキックプレート６２の頂部に提供し、そして構造上これら補強プレートを下方の洗浄室のスライド部材（図示せず）を介して互いに接合することにより克服され、上記スライド部材は破線で示した位置６９および７０に配置される。また補強プレート６７および６８はその堅さおよび底部フレーム６４および側部フレーム２０８ に対する堅固な接続の理由で側部フレームに加えられる横揺れモーメントを底部フレーム６４の各端部におけるガセット領域２０９に伝達する。
【００１４】
摺動引出し洗浄システム用密閉部材
洗浄室が摺動引出しとして取り付けられている本願の洗浄機では洗浄サイクルの開始に先立ち洗浄室を閉じることが従来の前方から積むタイプの洗浄機やシンク台上に載せられる洗浄機に比べて複雑である。飛び出している引出しをキャビネット内に押す前に使用者が手動でドアを閉じ、頂部が開いている洗浄室を密閉することは望ましくない。洗浄室をキャビネット内に引き入れる動作により作動せしめられる密閉部材を有することが好ましい。
【００１５】
図１には剛性のある密閉部材または蓋２１７ が線図で示されており、この密閉部材は洗浄室２０１ の開いている頂部を閉じるためにキャビネット２０３ の頂部に取り付けられる。なお洗浄室がキャビネット２０３ 内に引き込まれた時に洗浄室のリム上へと下方に機械的に移動せしめられるように蓋を取り付けることにより閉鎖を実行することもできる。このタイプの密閉作用を達成するための一つの手段は国際公開公報第９３/１２７０６号に開示されている。洗浄室の移動の最終段階で平行四辺形の形態の機械的なリンクにより水平・鉛直方向に剛性のある蓋を密閉位置まで移動することとは対照的に本発明は別の選択可能な解決手段を提供する。
【００１６】
これら解決手段のうちの一番目の解決手段を図９および図１０に線図で示した。ここでの剛性のある蓋２１７ は上述したように用いられるが、キャビネット２０３ の頂部の所定位置に固定され、洗浄室２０１のリム１９と鉛直方向において整列して配置された膨張可能な周方向ガスケット１８を備える。本実施例では洗浄室が完全に引き込まれた時に部材１８は図１０に示したように膨張せしめられ、リム１９とシール状態で係合する。この場合、部材１８はシール部材であるが等しく適した選択可能な手段は図３８に示したように蓋とシール部材２５１との間に配置されたシール部材キャリア２５０ を膨張することである。
【００１７】
本実施例の実際の実施を図１１および図１３に詳細に示した。洗浄室２０１ にはフランジの形をしたリム１９が形成され、このリム１９は使用時に膨張可能なガスケット１８のための座部を提供する。図１１では洗浄タブ２０１ はガスケット１８が膨張せしめられてリム１９にシール状態で係合している状態でキャビネット３内に完全に引き込まれているところが示されている。
【００１８】
剛性のある蓋２１７ がキャビネット２０３ の頂部内に嵌め込まれ、蓋２１７上の周縁当接部３０がキャビネット３の頂部の下側に当接する。蓋２１７ はキャビネット２０３ に実質的に固定される。またその下周面にはガスケット１８を保持するための通路３１を備える。
【００１９】
ガスケット１８は弾性のあるプラスチック材料から成形され、不定の長さで形成される。ガスケットの頂面には蓋２１７ の通路３１内に係合するようにリブ状の延在部３２が一体的に成形され、これによりガスケットを蓋に係合する。
【００２０】
一つの実施例（図示せず）では蓋１７の周縁をたどるのに十分な長さのガスケット材料１８が所定位置に配置され、ガスケットの各端部はＴ字コネクタの両側の接続部に連結される。Ｔ字コネクタは必要な時にガスケット１８の両端に空気を供給し、ガスケット１８を膨張する。図１２に線図で示した好適な実施例では端部３７と端部３８とが部分的に重なり合うのに十分な長さのガスケット材料が採用される。蓋内の通路３１はガスケットの端部を非常に近い平行の関係でもって支持するために部分的に重なり合った平行な端部を有する。ガスケット１８の端部３７は気密性のある（またはシールされた）支持部３９を有し、他方の端部３８はガスケットを膨張するために空気を供給する空気ホース４１のためのコネクタ４０を有する。
【００２１】
ガスケットが膨張せしめられた時でさえも食器洗浄機の洗浄サイクル中に少量の洗浄液がガスケットの部分的に重なり合った端部の間から漏れてしまう。この間隙を通った水の放出を制御しなければならず、この目的でガスケットの外側の端部３８の領域の洗浄室のリム１９に排出スロット４２が設けられる（図１３参照）。ガスケットの端部の間から逃げた水は排出スロットを介してダクト３６にそらされる。ダクト３６は別体のプラスチック成形品であり、室１７の背面に取り付けられる。ダクト３６内の水はダクト３６の水溜め部分３３に整列して配置された室の壁の開口（図示せず）を介して室１７の底部に戻るように向けられる。
【００２２】
ガスケット１８を膨張するために空気ポンプが設けられ、この空気ポンプは好ましくはソレノイドにより駆動されるダイアフラムポンプである。このポンプは室３の後壁の内側に取り付けられる。ダイアフラムポンプは食器洗浄機の制御装置により供給されるさい断直流電源を用いて作動される。
【００２３】
使用時には室２０１ に食器が搭載され、室２０１ がキャビネット２０３内に完全に引き込まれ、そして食器洗浄機が始動せしめられた時に空気ポンプが作動せしめられ、ガスケット１８を膨張し、これにより蓋２１７ が室２０１ の頂部をシールする。膨張サイクルの終わりはガスケット１８内の圧力が所望圧力に達したことにより表示される。次いで食器洗浄機の制御装置が洗浄サイクルを開始する。室は乾燥サイクルが終了するまで又は使用者がキャビネット２０３ から室２０１ を引き出すまでシールされたままである。この期間中、ガスケット１８内に適切なシール圧が確実に維持されるように空気ポンプは時々、作動される。
【００２４】
別の実施例が図１４に示されており、ここでは蓋２１７ と洗浄室２０１のリム１９とはその側部に沿って相補形状に傾斜したエッジを備える。蓋１７の周縁周りには弾性のあるシール部材が配置される。洗浄室２０１ がキャビネット２０３ 内に完全に引き込まれた時には蓋と室のリムとの前後への傾斜の結果として生じる楔作用により洗浄室が蓋１７にシールされる。
【００２５】
さらに別の構造（図示せず）の平坦で剛性のある蓋は周縁の可撓性のあるガスケットを備え、このガスケットは洗浄室のリム上の手段と協動し、この手段は室がキャビネット内に引き込まれた時の純粋な摺動作用により蓋と洗浄室との間を積極的にシールする。
【００２６】
図１５〜図１７は選択可能な実施例を示しており、ここでは剛性のある蓋を用いる代わりに可撓性のある密閉部材が用いられる。図１５ではカーテンタイプの密閉部材２４がエッジ２５に沿って洗浄室のリム１９の後方部分２６に固定される。カーテン２４は食器洗浄機のキャビネット２０３ の上方前方部に取り付けられたバネ付勢ローラ２７上に後退可能に保管される。洗浄室２０１ が引き出された時にはカーテン２４はローラ２５上に巻き取られ、一方、洗浄室が引き込まれた時にはカーテン２４はローラ２５から出され、洗浄室２０１ の開いた頂部を完全に覆う。
【００２７】
図１６はコンチェルティナタイプの構造を備えた可撓性のある密閉部材２７を示しており、この密閉部材２７は食器洗浄機のキャビネットの上方側部に設けられたスライド内に取り付けられる。洗浄キャビネット２０１ が図１７で示したようにキャビネット２０３ から引き出された時、密閉部材２７はコンチェルティナ作用により折り畳まれ、一方、洗浄室が図１６に示したように引き込まれた時には洗浄室の頂部に沿って平らになるように密閉部材２７が開かれる。
【００２８】
図１８および図１９に別の実施例を示した。本実施例の蓋２１７ はその外側エッジ周りに膨張可能な環状部材を備え、この環状部材は図１９に示したように膨張せしめられて洗浄室２０１ の内壁の側面にシール状態で係合する。この場合、洗浄室の後部壁の高さが低く、これにより蓋が室の壁の上部エッジよりも鉛直方向において低い位置に固定されているにも係わらず洗浄室をキャビネット内に摺動することができる。
【００２９】
洗浄室がキャビネット内に引き込まれた時に洗浄室の頂部にシール部材を移動する又は拡張することを利用するのに加えて、蓋の周面とシール部材との間に別体のシール支持キャリアを配置し、閉鎖はこの支持キャリアを下げることにより達成される。これは図３９に示しており、ここではシール支持キャリア２５２ が拡張可能なスカート２５３ により蓋２１７ に取り付けられている。シールキャリアを移動するためには往復動を与える様々なアクチュエータ手段を用いることができる。
【００３０】
図４２に他の柔軟な密閉部材を示す。洗浄室と同じ幅を有し、ローラー間の間隔が洗浄室の長さとほぼ等しいローラー２６１に取付けられたエンドレスベルト２６０が、洗浄室が完全に引っ込められた時に、洗浄室の上面を覆う。
【００３１】
ローラー２６１は、洗浄機キャビネットの上部に一定の高さで取付けられる。室の後方壁２６２の上端は、ベルト２６０へ固定され、ベルトが回転し、ベルトが滑って室を密閉するのと同様な直線的な動作をするようにする。圧力パッド２６３が、ベルトで確実に洗浄室を密閉するために用いられても良く、ベルトは又、一連の間隔をおいた横方向の帯板で補強されても良い。
【００３２】
これまで述べてきた実施形態においては、密閉部材２１７はキャビネット２０３内において、剛的に又は柔軟性をもって、鉛直方向にほぼ固定されている。以下の実施形態においては、密閉部材は、洗浄室２０１の開口している上面を密閉する種々の手段により下方に移動する。
【００３３】
第１の実施形態を図２０、２１に示す。ここでは、周囲の弾性シール部材２０が、蓋２１７の下面に配置され、図１９に示したように、可膨張環状部材２１が、蓋２１７を鉛直方向下向きに押し、洗浄室のリム１９に当ててシールするために使用される。
【００３４】
他の実施形態を図２２、２３に示す。ここでは、蓋２１７がキャビネット２０３の上部に取付けられ、図２２に示す位置から図２３に示す位置へ、鉛直方向に移動可能であるようにする。蓋の縁部の廻り及び洗浄室壁の上面にフランジ構成を設けることによりシールがなされ、図２３に示すように、閉鎖した場合には、通過不可能な入り組んだ流体経路２２が形成され、洗浄室を効果的にシールする。蓋及び洗浄室のフランジ構成は、均圧室を構成し、洗浄液が漏れないことを確実にする。この蓋の構成は、洗浄室の後方壁の高さが減じられ、蓋フランジが閉鎖位置に摺動して入るように、蓋フランジのための隙間が設けられている場合には、固定された蓋の形式においても使用可能である。
【００３５】
入り組んだ経路の構成に加え、図４３に示す柔軟で変形可能な摺動部材２６４、及び／又は図４４に示す直線状のブラシ部材によって補助的にシールしても良い。
【００３６】
剛体の蓋を昇降する他の手段を図４０に示す。圧縮ばね２５３が蓋２１７へ押上げ力を作用させ、通常、蓋を開いた位置に維持する。引張ばね２５４が、洗浄室が完全にキャビネット２０１に引っ込められた時、蓋を閉鎖する力を作用させるために用いられる。洗浄室が完全に引っ込められる前に、カム又はランプ２５６を越えて移動するばねの一端に取付けられたローラー２５５によって張力が作用する。ラッチ２５７が、ローラーがカム２５６を通過した後、ばねの張力を維持する。この張力は、後で蓋を上昇させたい場合に解除される。第２のラッチ２５８は、洗浄室が完全に格納され、部材２５９が開放されて閉鎖する（下げる力）が蓋２１７に作用することが可能となるまで、伸張されたばねのために下向きの力を受ける。
【００３７】
剛体の蓋を昇降する他の機構を図４５、４７に示す。カム及びカム従動装置が以下のように使用される。水平方向の動作は制限されるが、蓋２１７が、キャビネット２０３の上部で圧縮ばね２７０に取付けられる。洗浄室２０１には、両側面の壁の外側にカム表面２６６、２６７が設けられ、これらのカム表面は、室が水平方向に引っ込められた位置まで移動した時、対応するローラー２６８、２６９と係合する。表面２６６が、まずローラー２６８に接触し、図４６に示すように蓋２１７の前方部を持ち上げる。同様に、蓋２６７が、ローラー２６９に接触し、洗浄室が更に引っ込められるように、蓋２１７の後方端を持ち上げる。水平方向の移動の最後には（図４７）、蓋２１７を洗浄室の上面に降下して、閉鎖するばね２７０の作用により、ローラーは、カム表面２６６、２６７の半円部分へ入る。
【００３８】
このカム及びカム従動節の技術は、図１４に示した楔形の蓋と洗浄室壁の構成で使用することが可能である。これは、洗浄室をキャビネットへ押し入れることによって生じる水平方向の力の成分に加え、鉛直方向の力の成分を提供することによって、密閉力の増加を補助することが可能である。カム及びカム従動装置は、蓋の前方部が、キャビネットの前方の上部で、一定の高さの横断方向の水平軸線を中心として枢動するようにされている構造において、蓋の後方端を昇降するために使用することも可能である。
【００３９】
水管理システム
図７に示す洗浄槽が２つある構成の食器洗浄機においては、洗浄サイクルで消費される水の総容積を最小化するために、水は、上槽２０２ａと下槽２０２ｂとの間を移送されても良い。
【００４０】
図２４を参照すると、キャビネット２０３は、上部洗浄槽２０２ａと下部洗浄槽２０２ｂとを包含している。各槽は、排水溜め１３６からの排水管５７によって供給される排水ポンプ１３５を有している。洗浄槽２０２ａの排水管は、弁１３８へ接続される分岐管１３７を有しており、弁１３８は、これを開くと、上槽２０２ａからの水が、分岐管１３７を通って下部洗浄槽２０２ｂへ流れることが可能である構成を有している。
【００４１】
各洗浄槽についての一般的な洗浄プログラムは、事前すすぎ、洗浄、後すすぎ１、後すすぎ２である。
【００４２】
本発明のこの態様によれば、上槽の後すすぎサイクル１で使用された水は、下部洗浄槽へ、その事前すすぎサイクルのために供給され、上槽の後すすぎサイクル２で使用された水は、下部洗浄槽へ、その洗浄サイクルのために供給される。従って、食器洗浄機制御装置は、行程のこの手順を、洗浄槽２０２ａと洗浄槽２０２ｂに対する洗浄サイクルに時間差を持たせることによって実行するようにプログラムされ、槽２０２ｂの洗浄プログラムが、上層２０２ａの後すすぎサイクル１が終了するまで開始されないようにする。この時に、弁１３８は、すすぎ水が槽２０２ａから槽２０２ｂへ流れることを可能とするために開かれる。次いで、槽２０２ｂの洗浄プログラムが、槽２０２ａからの水を使用する事前すすぎサイクルを開始する。後すすぎサイクル２の時間が、事前すすぎサイクルの時間と同じならば、槽２０２ａの後すすぎサイクルの終了時に、すすぎ水は、その洗浄サイクル開始時である槽２０２ｂへ吐出される。
【００４３】
他の洗浄プログラムが、同様に、ある程度洗浄水を節約するという上述の考えを利用して構成されても良い。
【００４４】
排水ポンプ
図２５を参照すると、本発明の洗浄機では（国際公開公報第９３／１２７０６号の場合と同様に）、１つのモーターが洗浄ポンプと排水ポンプの両方の羽根車を駆動するのに用いられ、これらの羽根車は、モーターのローター軸の両端に取付けられている。国際公開公報第９３／１２７０６号の場合のように、ローターは、洗浄機の底板の溜め部内で回転するが、モーターのステーターは、摺動洗浄室の下方で溜め部の外部に取付けられている。モーターがある方向に回転した場合に、洗浄ポンプが作動し、モーターがその反対の方向に回転した場合に、排水ポンプが作動する。
【００４５】
図２５では、モーターローター１０５は、洗浄室の取外し可能な中央底板部分５１に設けられた溜め部１０６内に同軸で取付けられる。ローター１０５は、ローターの両端面から外方へ延設される駆動軸５２にキーで取付けられる。駆動軸５２の上方部分は、洗浄ポンプの羽根車９５（ポンプケーシングとスプレーシステムは図示無し）を備えており、駆動軸の下方部分は、排水ポンプの羽根車５４を備えている。溜め部１０６の下方部分５８は、内部で羽根車５４が、排水管５７へ接続される排水溜め５８に排水される洗浄水をポンピングする（汲む）ために機能するケーシングとなる。
【００４６】
ローターの摩耗を減らすと共に、物が詰まってローターが作動しなくなる可能性を取り除くために、汚れた洗浄水が溜め部１０６とローター１０５の間隙に入ることを防止する必要がある。本発明では、プラスチック製のシールリング５９が、ローター１０５の下方面と羽根車５４の上方面の間の軸５２上に取付けられている。しかしながら、更に他の方法も講じない場合には、シール５９により、排水ポンプに導入された空気が、ポンプの呼び水となる液体を妨げる、又は止めるほどに蓄積される。
【００４７】
本発明では、この問題は、排水管５７が排水ポンプの排水溜めを水平から約６°傾斜した状態にしておくこと、及びポンプの羽根車の羽根を適切な形状にすることによって克服する。排水管５７が上方に傾斜している時、シール５９に対して蓄積された空気は、抜くことが可能であり、ポイント６０のレベルより下がらないようにされる。
【００４８】
又、図２６を参照すると、羽根車５４の羽根５５には、その付け根に鉛直方向のスロット６１が設けられており、羽根車が回転を開始した時に、捕捉された空気が蓄積され得る環状の隙間を提供する。この事により、適切な呼び水が可能となり、排水ポンプの適切な運転が達せられる。ポンプの羽根車のハブ２７１は、内部に配置されたキャビティ２７２を備えている。このキャビティ２７２は円筒壁２７３を使用して形成され、円筒構造の端２７４は開放し、排水ポンプの性能を向上させる手段を構成している。円筒壁２７３と端２７４は、過剰な空気をキャビティ２７２に捕捉できるようにする一方、空気が排水ポンプ流体と混ざることを防止する。
【００４９】
加熱要素の保護
本発明の食器洗浄機の加熱要素は、環状プレートの形状をしており、国際公開公報第９３／１２７０６号に記載されているように、食器洗浄機の底板の一部を構成している。図２７、２８に示された加熱要素は、琺瑯コーティング１２２された鋼（又は合金鋼(alloy of steel)）板１２１を含む基板にプリントされた厚膜回路１２０で構成される。琺瑯は、誘電体を形成し、下塗りと上塗りから成り、それぞれが別々に焼き付けられる。厚膜抵抗回路１２０は、パラジウム銀合成物(palladium silver composition)から成り、順次、琺瑯コーティング上に焼き付けられる。あるいは、高分子材料で鋼板をコーティングし、誘電体を形成しても良い。これらは、保蔵処理されることが可能で、琺瑯の場合のように高温の炉で焼き付ける必要がない。
【００５０】
加熱要素が乾燥の状態で作動されると、温度が上昇し、厚膜導回路(thick film track)が焼け、断線により加熱要素でのエネルギーの散逸を停止させる。これにより、プラスチック製の支持部品を損傷する可能性のある過度の温度上昇を最小限に抑える。しかしながら、この内在する保護方法は、幾つかの電気的基準を満たさないので、要素の電源を切るセンサー回路が設けられる。鋼板１２１は、接地されて用いられるので、本発明において、要素システムの過度の温度上昇は、接地への漏洩電流を監視することによって検知される。琺瑯の誘電体は局所的な温度上昇を受けるので、厚膜１２０と鋼製の基板との間を電流が流れる場合があることが理解されよう。
【００５１】
要素システムを保護するのに適した接地漏洩保護回路を図２９に示す。要素１２０は、トライアック１２３及びリレー１２４を有する一連のスイッチ装置を通して、交流幹線主電源(mains supply)（フェーズＰ、ニュートラルＮ）から電圧を加えられる。差動変流器(differential current transformer)１２５が要素１２０への交流電源に接続され、供給相導線及び中性導線において均衡のとれない電流が存在する場合に巻線１２６において電圧を生じる。これは、接地された要素板１２１へのヒーターへの供給電流の漏洩がある場合に起こる。
【００５２】
オペレーショナルアンプ１２７が、変流器の巻線１２６を横切る電圧を監視し、接地漏洩電流が所定の最大値、例えば２０ｍＡを超えた場合、オペレーショナルアンプ１２７の出力は、ｎｐｎトランジスター１２８を飽和モード(saturation mode) に切り替える。この事により、過度の電流が、直流１２Ｖのレール電源(rail supply) １２９から、２００ｍＡヒューズ１３０、ｐｎｐトランジスター１３３、リレーコイル１３１を通って、接地へ流れることが可能になる。ヒューズが飛び、リレーコイル１３１へ電流が供給されなくなると、リレースイッチ１２４が開き、要素１２０の電源を切る。
【００５３】
本発明では又、上述した接地漏洩トリガリング回路のためのフェイルセイフ回路も提供する。この事により、上述の回路が故障を起こしている場合、要素１２０は、確実に起動不可能になる。
【００５４】
つまり、抵抗体１３２が、変流器１２５を通って、直流の小さな「バイアス」電流（約５ｍＡであっても良い）を供給する。この事は、巻線１２６を横切る小さな均衡のとれない電圧を生じ、オペレーショナルアンプ１２７の出力において、正の電圧差を生じて、トランジスター１２８を通ってトランジスター１３３のバイアスへ十分な電流を流すようにし、これによって、リレー巻線１３１を通って十分な電流を流し、リレースイッチを閉じた状態に保つことを可能にする。変流器の巻線１２６の電流は、ヒューズを飛ばすための十分な電流をヒューズ１３０及びトランジスター１２８を通して流すためには不十分である。この構成では、保護回路の何れかの部分が破損した場合には、抵抗体１３２を通る電流の流れは止まり、巻線の「バイアス」のずれが検出されなくなり、この状態である間、トランジスター１３３がオフの状態になり、スイッチ１２４を開き、又開いた状態に維持するリレーの電源が断たれる。
【００５５】
洗剤分配装置
本発明の食器洗浄機で使用する洗剤分配装置を図３０から図３７に示す。洗剤分配装置は洗浄室の内部前面壁４の後ろに取付けられ、フロントパネル２０２の厚さ内に収容される（図１参照）。
【００５６】
図３０から図３２を参照すると、洗剤分配装置は、洗浄室壁４のほぼ方形の開口に、成形された受口５を設けることにより構成される。受口５を閉じるピボット状又はヒンジ状に取付けられたドア８が、洗剤容器９、１０が取付けられるサブフレームを提供する。ベント１１が、ドア８が閉じられている場合においても、受口５と洗浄室間を連通させる。ベント１１により、以下で述べるように、洗剤を洗浄室に入れることが可能になる。２つの水出口ノズル１２Ａ及び１２Ｂ（１つのノズルのみ図３０、３１に示す）を、受口５の上部に設置し、それぞれ洗剤容器９、１０に水を吐出するように位置させる。
【００５７】
洗剤分配装置の作用は以下の通りである。洗剤は、図３０に示すように洗剤容器９、１０に充填される。この目的のためにドア８が開けられる。次いで、ドアが閉じられ、食器が充填された洗浄室１が、キャビネット３に格納される。洗浄サイクルの適切な時に、食器洗浄機制御装置が弁を開き、ノズル１２Ｂから水を吐出させる。このノズルは、主要な洗浄サイクルに先行するすすぎサイクルで小さい方の洗剤容器１０の中へ吐出する。しかしながら、洗剤分配装置の動作は、大きい方の容器９の中に吐出するノズル１２Ａに関して説明する。水が吐出することにより、容器９内で水と洗剤が混合され、水／洗剤混合物が容器９の上部から流れ出て、受口５に溢れる。洗剤容器には、排水のために、小さな底部開口部１３（図３３に示す）が設けられている。この開口部は、乾燥した洗剤が漏れ出ない程度に十分小さい。次いで、水／洗剤混合物は、ベント１１を通って洗浄室に入る。
【００５８】
受口５は、洗浄室壁４に、ねじによって固定されるクランプを使用して取付けられても良い。このねじは、公知の方法で洗浄室の壁４へ分配装置のフランジをシールするために、Ｏリングを圧縮するように機能する。移動する洗浄システムの水出口の設備では、水供給ホース２２９は、キャビネットと洗浄室間で、前方パネル２０２の中へ向かって柔軟に延設されなければならない。これは、排水ホース及び電気ワイヤーと共に纏められ、図３に示すようなホースとワイヤーの束２２８を形成する。
【００５９】
本発明の食器洗浄機の分配装置は、洗浄室の容積に影響を与えず、洗剤を入れるために洗浄水に依存せず、分配サイクルの間に汚れる可能性のある可動部品を有していない。ここでは摺動ドロワー型の食器洗浄機への使用について説明したが、前面に洗浄室への開口するドアを有する従来の構成の食器洗浄機に使用されても良い。
【００６０】
好ましい構成では、洗剤分配装置は、２つの部品、即ち、図３５、３６に示すような受口５とドア８とであり、プラスチックで成形される。構成部品を減らすために、水管路と弁ケーシングは、受口５と一体で成形される。この事は図３６から理解される。前述したように、水はノズル１２Ａ又は１２Ｂの一方を通り、洗剤分配装置の中へ、制御して放出されなければならない。二方向シャトル弁１５１が、分配装置の水の入口１５２に入る水の流れをそれぞれの出口１５３又は１５４へ変えるために使用される。出口１５４は、事前すすぎ洗剤容器へ吐出し、出口１５３は、主となる洗浄洗剤容器に送水する。水の経路及び弁ケーシングは全て、洗剤分配装置成形品内に設けられる。
【００６１】
図３７に更に詳細に示されている二方向弁１５１は、ソレノイドコイル（図示無し）内のソレノイドアーマチャー１５６によって、２つの位置の間を往復するシール１５５を有している。
【００６２】
食器洗浄機制御装置は、洗浄サイクルの適切な時に弁を開き、水を洗剤分配装置の入口１５２へ供給する。この水は、経路１５７を通り、二方弁１５１の接続口１５８へ流れる。弁シール１５５が、示してある位置にあるならば、接続口１５８を入った水は、接続口１５９を通って出ることが可能であり、この接続口１５９から経路１６０を進み、出口１５３を通って吐出される。次いで、吐出された水は洗剤容器に入り、前述したように機能する。
【００６３】
ソレノイドアーマチャー１５６が引っ込められると、弁シール１５５が弁シート１６１に当接し、入口１５８を入った水が出口１５９を通って出ることを妨げる。しかしながら、弁本体に入った水は、出口１６２を通って放出され得る。それから、この水は水の経路１６３に入り、次いで出口１５４から吐出される。これが、事前すすぎ洗剤容器１０への水の放出の吐出ポイントである。
【００６４】
洗剤分配装置成形品には又、すすぎ補助リザーバー１６４が組込まれ、すすぎ補助液体が、ポンプ１６５によって計量された容量で、洗浄室に入れられる。このポンプは、好ましくは、パルス状の直流が供給される、ソレノイドで作動するダイアフラムポンプであり、注入されるすすぎ補助液体の容量は、ポンプ１６５の作動時間に直接的に比例する。
【００６５】
すすぎ補助液体の投入は、以下のように、主な洗浄サイクルの間に、洗浄室の中へ可能である。再補充可能なすすぎ補助リザーバーへ吸込み側が接続されたソレノイド駆動のダイアフラムポンプに、所定時間の間、チョッパーされた直流電流(chopped direct current)が通電される。この時間は、食器洗浄機制御装置に事前に記憶させられ、通常の洗浄に最適なすすぎ補助液体の容量を送出するように設定される。
【図面の簡単な説明】
【図１】本発明の食器洗浄機の線図である。
【図２】洗浄室を備えた食器洗浄機の配管・配線システムの線図であり、ここでの洗浄室は閉じられた位置にある。
【図３】洗浄室を備えた食器洗浄機の配管・配線システムの線図であり、ここでの洗浄室は開かれた位置にある。
【図４】国際公開公報第９３/１２７０６号および本明細書のタイプの食器洗浄機をキッチンにモジュラー形態で取り付けるための選択可能な方法を示した図である。
【図５】国際公開公報第９３/１２７０６号および本明細書のタイプの食器洗浄機をキッチンにモジュラー形態で取り付けるための選択可能な方法を示した図である。
【図６】国際公開公報第９３/１２７０６号および本明細書のタイプの食器洗浄機をキッチンにモジュラー形態で取り付けるための選択可能な方法を示した図である。
【図７】一つのキャビネットに二つの引出しを有する本発明の食器洗浄機を示す図である。
【図８】図７のキャビネットの構造上の特徴を示す図である。
【図９】膨張可能なガスケットを用いて頂部が開いている洗浄室を剛性のある蓋でシールする手段の線図である。
【図１０】膨張可能なガスケットを用いて頂部が開いている洗浄室を剛性のある蓋でシールする手段の線図である。
【図１１】図９および図１０に示したシール方法を組み込んだ食器洗浄機の部分図である。
【図１２】漏れを最小限にするためにガスケットの端部を横に並べて配置する一つの手段の線図である。
【図１３】図１１に示した蓋およびシールガスケットを備えた食器洗浄機の洗浄室の部分等角図である。
【図１４】剛性のある蓋を用いて頂部が開いている洗浄室をシールする別の方法を示す図である。
【図１５】可撓性のある密閉部材を用いて頂部が開いている洗浄室をシールする方法を示す図である。
【図１６】可撓性のある密閉部材を用いて頂部が開いている洗浄室をシールするさらに別の方法を示す図である。
【図１７】可撓性のある密閉部材を用いて頂部が開いている洗浄室をシールするさらに別の方法を示す図である。
【図１８】剛性のある蓋で頂部が開いている洗浄室をシールするさらに別の方法を示す図である。
【図１９】剛性のある蓋で頂部が開いている洗浄室をシールするさらに別の方法を示す図である。
【図２０】剛性のある蓋で頂部が開いている洗浄室をシールするさらに別の方法を示す図である。
【図２１】剛性のある蓋で頂部が開いている洗浄室をシールするさらに別の方法を示す図である。
【図２２】剛性のある蓋で頂部が開いている洗浄室をシールするさらに別の方法を示す図である。
【図２３】剛性のある蓋で頂部が開いている洗浄室をシールするさらに別の方法を示す図である。
【図２４】二つのタブを備えた食器洗浄機を示す図であり、ここでの食器洗浄機は内部タブ水搬送装置を備える。
【図２５】食器洗浄機の排出ポンプの部分断面図である。
【図２６】排出ポンプの羽の等角底面図である。
【図２７】食器洗浄機の加熱要素を示す図である。
【図２８】図２８の線Ａ−Ａに沿った断面図である。
【図２９】食器洗浄機の加熱要素の保護回路を示す図である。
【図３０】充填のために開かれた食器洗浄機の洗剤分配装置を示す図である。
【図３１】使用のために閉じられた食器洗浄機の洗剤分配装置を示す図である。
【図３２】充填のために開かれた洗剤分配装置の絵画図である。
【図３３】洗剤分配装置の部分断面図である。
【図３４】閉じられた洗剤分配装置の平面図である。
【図３５】洗剤分配装置が食器洗浄機の壁面への固定方法を示す洗剤分配装置の部分図である。
【図３６】洗剤分配装置を通る水路を示す食器洗浄機の洗剤分配装置の断面図である。
【図３７】食器洗浄機の洗剤分配装置に使用される二方向シャトル弁の絵画図である。
【図３８】固定された蓋を用いた時の洗浄室を閉じる別の構成の線図である。
【図３９】固定された蓋を用いた時の洗浄室を可動シール支持キャリアを用いて閉じる別の構成の線図である。
【図４０】洗浄室およびそれに対応する蓋の線断面図であり、ここでの蓋は洗浄室を閉じるために蓄積バネエネルギシステムにより下げられる。
【図４１】図４０に示した機構の部分等角断面図である。
【図４２】無端ベルトを用いた洗浄室用のさらに別の密閉システムの線図である。
【図４３】洗浄室の密閉部材用の追加のシール部材を示す図である。
【図４４】洗浄室の密閉部材用の追加のシール部材を示す図である。
【図４５】洗浄室の密閉システムの線図であり、ここでのシステムはバネ付勢されたカムとカム従動蓋を押し下げる機構とを備える。
【図４６】洗浄室の密閉システムの線図であり、ここでのシステムはバネ付勢されたカムとカム従動蓋を押し下げる機構とを備える。
【図４７】洗浄室の密閉システムの線図であり、ここでのシステムはバネ付勢されたカムとカム従動蓋を押し下げる機構とを備える。
【符号の説明】
２００…食器洗浄機
２０２…洗浄室
２０３…キャビネット
【図１】
0003993757.tif 000002
【図２】
0003993757.tif 000003
【図３】
0003993757.tif 000004
【図４】
0003993757.tif 000005
【図５】
0003993757.tif 000006
【図６】
0003993757.tif 000007
【図７】
0003993757.tif 000008
【図８】
0003993757.tif 000009
【図９】
0003993757.tif 000010
【図１０】
0003993757.tif 000011
【図１１】
0003993757.tif 000012
【図１２】
0003993757.tif 000013
【図１３】
0003993757.tif 000014
【図１４】
0003993757.tif 000015
【図１５】
0003993757.tif 000016
【図１６】
0003993757.tif 000017
【図１７】
0003993757.tif 000018
【図１８】
0003993757.tif 000019
【図１９】
0003993757.tif 000020
【図２０】
0003993757.tif 000021
【図２１】
0003993757.tif 000022
【図２２】
0003993757.tif 000023
【図２３】
0003993757.tif 000024
【図２４】
0003993757.tif 000025
【図２５】
0003993757.tif 000026
【図２６】
0003993757.tif 000027
【図２７】
0003993757.tif 000028
【図２８】
0003993757.tif 000029
【図２９】
0003993757.tif 000030
【図３０】
0003993757.tif 000031
【図３１】
0003993757.tif 000032
【図３２】
0003993757.tif 000033
【図３３】
0003993757.tif 000034
【図３４】
0003993757.tif 000035
【図３５】
0003993757.tif 000036
【図３６】
0003993757.tif 000037
【図３７】
0003993757.tif 000038
【図３８】
0003993757.tif 000039
【図３９】
0003993757.tif 000040
【図４０】
0003993757.tif 000041
【図４１】
0003993757.tif 000042
【図４２】
0003993757.tif 000043
【図４３】
0003993757.tif 000044
【図４４】
0003993757.tif 000045
【図４５】
0003993757.tif 000046
【図４６】
0003993757.tif 000047
【図４７】
0003993757.tif 000048